(57)【特許請求の範囲】
【請求項１】
洗い場パンの裏面に断面凹湾曲状の溝が蛇行状に形成され、この溝に温水の流通管が配管されている洗い場の暖房床パネルであって、上記の洗い場パンの隣り合う溝の間にネジ止め用のネジ受け部が形成され、上記の洗い場パンの裏面に温水の流通管を介して断熱パネルが重合され、この断熱パネルの裏面に細長状の補強部材が、上記のネジ受け部にネジで断熱パネルと一緒に止め付けられて設けられていることを特徴とする洗い場の暖房床パネル。
【請求項２】
請求項１記載の洗い場の暖房床パネルであって、断熱パネルに、温水の流通管を係合させるための断面凹湾曲状の配管溝が蛇行状に形成されていることを特徴とする洗い場の暖房床パネル。
【請求項３】
請求項２記載の洗い場の暖房床パネルであって、断熱パネルの配管溝が、一方側の蛇行折返し端と他方側の蛇行折返し端の位置が揃えられると共に、一方側の蛇行折返し端から他方側の蛇行折返し端迄の間隔が相違する状態で複数のパターンに形成されていることを特徴とする洗い場の暖房床パネル。
【請求項４】
請求項１乃至３の何れかに記載の洗い場の暖房床パネルであって、洗い場パンが、熱伝導性の良い金属粒子を含有して形成されていることを特徴とする洗い場の暖房床パネル。
【請求項５】
請求項１乃至４の何れかに記載の洗い場の暖房床パネルであって、補強部材が、蛇行状の溝の往来する方向と直交する方向に延びて設けられていることを特徴とする洗い場の暖房床パネル。
【発明の詳細な説明】
【０００１】
【発明の属する技術分野】
本発明は、浴室ユニットの洗い場を構成する床パネルに関し、更に詳しくは浴室の洗い場の床を暖房できるよう形成した洗い場の暖房床パネルに関するものである。
【０００２】
【従来の技術】
従来この種の床パネルとしては、例えば温水を通すための管が裏面の溝に蛇行状に配管されていたり、既設の浴室洗い場の床面に敷かれるベースパネルと、このベースパネルに温水の流通管を挟んで被せられる表面パネルとで形成されているものがある（例えば特開２０００ー１２１０８４号公報参照）。
【０００３】
【発明が解決しようとする課題】
ところでこの種の床パネルは、温水を蛇行状に流して温水の熱を洗い場パン（表面パネル）に伝え、洗い場の床を暖房するものである。従ってこの種の床パネルは、温水の熱を表面パネルに効率良く、熱エネルギーのロスがない状態で伝えることができるよう、形成されているのが望ましい。
【０００４】
しかるに従来品は、洗い場パンの下側が開放されていたり、既設の浴室洗い場の床面にベースパネルがべたに接触するよう構成されていた。従って従来品を使用すると、温水の熱が床下に奪われ易く、熱エネルギーのロスが大きい、という問題点があった。
【０００５】
又この種の床パネルの洗い場パン（表面パネル）は、熱伝導が良くなるよう薄肉状に形成されているのが望ましいが、入浴者の体重が加わるものであるから、同時に、耐荷重性や剛性が大きい状態に形成されている必要がある。而してこの場合、洗い場パンの裏側に多数のリブを一体成形して補強するのでは、型費が高く付き、洗い場パンのコストアップを招くことになる。従ってこの種のパネルは、洗い場パンを薄肉化でき、しかも耐荷重性や剛性を低コストで充分確保できるよう、形成されているのが望ましい。
【０００６】
しかるに従来品は、洗い場パンにリブを一体成形し、この種のリブによって耐荷重性や剛性を持たせているのが通例であったから、従来品によるとコストが高く付き、安価にこの種のパネルを提供できない、という問題点があった。
【０００７】
本発明は、このような従来の問題点に鑑み、提案されたものである。
従って本発明の技術的課題は、温水の流通管を裏側に蛇行状に配管させた洗い場の暖房床パネルにおいて、温水の熱が床下に奪われることを防止でき、熱エネルギーのロスを低減できると共に、洗い場の床面にできるだけ熱が伝わるよう洗い場パンを薄肉化しても低コストで、耐荷重性や剛性を充分確保できるよう形成した洗い場の暖房床パネルを提供することにある。
【０００８】
【課題を解決するための手段】
本発明は、上記の課題を解決するために、次のような技術的手段を採る。
【０００９】
即ち本発明は、図１、図３、図４等に示されるように、洗い場パン１の裏面に断面凹湾曲状の溝２が蛇行状に形成され、この溝２に温水の流通管３が配管されている洗い場の暖房床パネルであって、上記の洗い場パン１の隣り合う溝２の間にネジ止め用のネジ受け部６が形成され、上記の洗い場パン１の裏面に温水の流通管３を介して断熱パネル４が重合され、この断熱パネル４の裏面に細長状の補強部材５が、上記のネジ受け部６にネジ７で断熱パネル４と一緒に止め付けられて設けられていることを特徴とする（請求項１）。
【００１０】
この場合、上記の溝２の内径は、熱伝導率が良くなるよう、流通管３の外径と同一に選定されるのが好ましい。断熱パネル４は、例えば発泡スチロール等の発泡プラスチックやコルク等で形成される。又補強部材５は、例えばハット形鋼、リップみぞ形鋼、軽みぞ形鋼、軽角形鋼等の、低廉な市販品で形成される。
【００１１】
而して本発明は、図６等に示されるように、断熱パネル４に、温水の流通管３を係合させるための断面凹湾曲状の配管溝９が、蛇行状に形成されているのが好ましい（請求項２）。
【００１２】
なぜならこの場合は、断熱パネル４に流通管３を仮固定した状態で組立でき、組立作業を容易化できるだけではなく、断熱性の向上にも役立つからである。
【００１３】
又本発明は、図９、図１０に示されるように、断熱パネル４の配管溝９が、一方側の蛇行折返し端９ａと他方側の蛇行折返し端９ｂの位置が揃えられると共に、一方側の蛇行折返し端９ａから他方側の蛇行折返し端９ｂ迄の間隔Ｄが相違する状態で複数のパターンに形成されているのが好ましい（請求項３）。
【００１４】
なぜならこれによると、洗い場パン１のサイズが異なる場合でも、カットラインＬの位置で断熱パネル４をカットすることにより、一枚の断熱パネル４で共用でき、柔軟に対応できるからである。
【００１５】
又本発明は、図１１に示されるように、洗い場パン１が、熱伝導性の良い金属粒子１０を含有して形成されているのが好ましい（請求項４）。
【００１６】
なぜならこれによると、例えば銅管等の熱伝導性の良い高価な材料で流通管３を形成することなく、洗い場パン１の熱伝導性を低コストで向上させることができるからである。金属粒子１０としては、例えばアルミニウム、銅、真鍮等の粒子がある。
【００１７】
又本発明は、補強部材５が、蛇行状の溝２の往来する方向と直交する方向に延びて設けられているのが好ましい（請求項５）。
【００１８】
なぜならこの場合は、補強部材５が溝２を横切った状態で配置されるため、例えば溝２の往来する方向に沿って補強部材５が設けられる場合に比べ、耐荷重性が高くなり、洗い場パン１の強度を一層向上させることができるからである。
【００１９】
【発明の実施の形態】
以下、本発明の好適な一実施形態を添付図面に従って説明する。
【００２０】
図１等において、１は洗い場パンである。この洗い場パン１は、図２に示されるように、裏面に断面凹湾曲状の溝２が蛇行状に形成されている。３は、この溝２に配管されている温水の流通管である。溝２は、熱伝導率が良くなるよう、この実施形態では内径が流通管３の外径と同一に選定され、流通管３がぴったり係合するよう形成されている。
【００２１】
４は、発泡プラスチック製の断熱パネルである。この断熱パネル４は、流通管３を介して洗い場パン１の裏面に重合されている。又５は、断熱パネル４の裏面に設けられている補強部材である。この補強部材５は、ハット形鋼で細長状に形成され、両翼部５ａがネジ止めされている。又この補強部材５は、蛇行状の溝２の往来する方向と直交する方向に延びて設けられている。なお１１は、本発明の床パネルの下側に配置されるアジャスターボルトである。本発明品は、このようなアジャスターボルト１１を介して設置されたり、或いは例えば洗い場の周囲に廻らされる吊下げ架台を介して吊下げられて設置されるものである。
【００２２】
６（図４参照）は、洗い場パン１の隣り合う溝２の間に形成されているネジ止め用のネジ受け部である。断熱パネル４と補強部材５は、このネジ受け部６にネジ７で一緒に止め付けられている。
【００２３】
本発明の床パネルは、このように形成されているため、温水の熱は、流通管３を流れる間に洗い場パン１に伝わり、床を暖房する。この場合温水の熱は、断熱パネル４により、下方への熱伝導が防止される。又本発明品の場合は、既設の浴室洗い場の床面との間に断熱用の空気層ができるから、これによると、べたに接触する従来品に比べ、既設の浴室洗い場の床面で熱が奪われることがない。
【００２４】
以上の処において、本発明品は、洗い場パン１が、図５に示されるように、アルミ箔や熱伝導性の良い塗料等の熱伝導性材料８を、溝２又は流通管３の周面に備えて形成されているのでも良い。又本発明は、図６〜図８に示されるように、断熱パネル４に、温水の流通管３を係合させるための断面凹湾曲状の配管溝９が蛇行状に形成されているのでも良い。この場合、配管溝９に、温水の流通管３を両側から押えて仮止めできるよう、例えば一対状の押え部９１（図７参照）が形成されているのが良い。なぜならこれによると、配管作業時に、流通管３を仮止めでき、配管作業を楽にできるからである。
【００２５】
又本発明の場合、断熱パネル４の配管溝９は、図９、図１０に示されるように、一方側の蛇行折返し端９ａと他方側の蛇行折返し端９ｂの位置が揃えられると共に、一方側の蛇行折返し端９ａから他方側の蛇行折返し端９ｂ迄の間隔Ｄが相違する状態で複数のパターンに形成されているのでも良い。この実施形態では、間隔Ｄが長短二種類のパターンに、しかも配管溝９の直線部分を共通させて形成されている。而してこの断熱パネル４の場合は、洗い場パン１のサイズに合わせ、例えば洗い場パン１のサイズが小さいときは、洗い場パン１の寸法に合わせて本来の長さＤ１より短い寸法Ｄ２になるよう、カットラインＬの位置で切断して使用する。
【００２６】
又本発明は、洗い場パン１が、図１１に示されるように、例えばアルミニウム等の熱伝導性の良い金属粒子１０を含有して形成されているのでも良い。この場合は、配管時に溝２の内面を研磨し、その上で温水の流通管３を取り付けると、一層大きい伝熱効果を得られるものである。
【００２７】
又上例ではネジ受け部６が、洗い場パン１の側に設けられているが、本発明はこれには限られず、図６、図７等に示されるように、洗い場パン１と断熱パネル４の両方にネジ受け部６が対向位置に形成されているのでも良い。又本発明の場合、上記の補強部材５は、図６、図８等に示されるように、蛇行状の溝２の往来する方向に沿って設けられているのでも良いことは勿論である。
【００２８】
【発明の効果】
以上説明したように本発明は、洗い場パンの隣り合う溝の間にネジ止め用のネジ受け部を形成し、洗い場パンの裏面に温水の流通管を介して断熱パネルを重合させ、この断熱パネルの裏面に細長状の補強部材を、ネジ受け部にネジで断熱パネルと一緒に止め付けて設けているものである。
【００２９】
従って本発明の場合は、断熱パネルで温水の熱が下方に逃げるのを防止でき、洗い場パンへの熱伝導性が良くなり、熱エネルギーのロスを極力防止できる。
又これによると、洗い場パンを薄肉化しても、補強部材によって全体として充分な耐荷重性、剛性を低コストで確保できる。
又本発明品によると、ネジ受け部を利用して断熱パネルと補強部材を確実にネジ止めでき、又隣り合う溝の間の全長をネジ受け部として無垢に形成する場合に比べ、洗い場パンの形成材料を節減でき、成型時の歪み等の発生も防止できる。
【図面の簡単な説明】
【図１】本発明床パネルの好適な一実施形態を示す一部を切欠した要部斜視図である。
【図２】同上床パネルを設置したときの浴室の平面図である。
【図３】同上床パネルの要部縦断面図である。
【図４】洗い場パンを下から見た要部斜視図である。
【図５】流通管の取付け例の要部縦断面図である。
【図６】同上床パネルの他の実施形態を示す要部分解斜視図である。
【図７】図６に示す本発明品の断熱パネルの要部斜視図である。
【図８】図６の本発明品の設置状態を示す要部縦断面図である。
【図９】断熱パネルの他の実施形態を示す要部平面図である。
【図１０】断熱パネルの更に他の実施形態を示す要部平面図である。
【図１１】洗い場パンの他の実施形態を示す要部縦断面図である。
【符号の説明】
１    洗い場パン
２    溝
３    温水の流通管
４    断熱パネル
５    補強部材
【図１】
0004000907.tif 000002
【図２】
0004000907.tif 000003
【図３】
0004000907.tif 000004
【図４】
0004000907.tif 000005
【図５】
0004000907.tif 000006
【図６】
0004000907.tif 000007
【図７】
0004000907.tif 000008
【図８】
0004000907.tif 000009
【図９】
0004000907.tif 000010
【図１０】
0004000907.tif 000011
【図１１】
0004000907.tif 000012